(57)【要約】【課題】  屋外に既設の門扉へ容易に取り付け可能で、防滴性のある電気錠を安価に提供する。【解決手段】  電気錠において、錠部と、錠部を施錠開錠するために駆動する駆動部を分離して設け、駆動部からの駆動力を伝達ワイヤにより錠部へ伝え、駆動部は防滴性をもつ箱の中に収容する構成とした。これにより屋外に設置されながらも通電を受ける駆動部を雨水から容易に保護できると共に、様々な状況を持つ既設の門扉に対しても容易に施工が可能となった。【選択図】図１
2005248675.tif 000002
【特許請求の範囲】
【請求項１】
門扉へ取り付ける錠部と、錠部を施錠開錠させる駆動力を発生する駆動部が分離した電気錠で、駆動部が防滴性のある箱の中に収容され、錠部と駆動部を連結する可とう性の伝達ワイヤにより門扉を施錠開錠するための駆動力が駆動部から錠部へ伝えられる構造を持つことを特徴とする屋外用の防滴型電気錠。
【発明の詳細な説明】
【技術分野】
【０００１】  本発明は、屋外の門扉へ取り付けるための防滴性を有した電気錠に関する。
【背景技術】
【０００２】  従来の門扉へ取り付ける電気錠の例を図４を用いて説明する。この従来の電気錠は門扉Ｔあるいは框Ｋへ埋設されるが、ここでは框Ｋへ埋設されている。また、門扉Ｔ側にはストライク１１０が埋設されている。図において１００は駆動力源のソレノイドであり、外部からの通電されると磁力によりプランジャ１０１を吸引して左方へ変位させるが、プランジャ１０１の右端はラッチ１０２を兼ねているためストライク１１０の開口より外れ、通電時には開錠状態となる。またソレノイド１００が通電されない状態では、与圧を持つように実装された圧縮バネ１０３の反発力によりラッチ１０２は施錠位置に復帰する。
【発明の開示】
【発明が解決しようとする課題】
【０００３】  以上に述べた埋設型の電気錠では、屋外に既設の門扉Ｔに対して施工するにあたり門扉Ｔあるいは框Ｋに該当する錠を埋設する必要があり、その取り付けに必要な空間を確保するために門扉Ｔへ取り付ける場合には既存の錠を撤去して取り付けたり、または框Ｋ側へ取り付けるためには框Ｋの内部を切削するなどの工作が必要であり、また門扉Ｔや框Ｋの内部へ電気配線を通線する必要もあるため適用可能な物件が自ずから限定されていた。【０００４】  これは、外部より電力の供給を受けることでラッチの施錠状態と開錠状態を作り出すための駆動力を発生する駆動力源と、ラッチが一体となった構成によるところであり、また通電を受ける駆動力源を埋設により雨水から保護する目的もあった。【０００５】  本発明では前述した課題を解決して、風雨に直接暴露される屋外に既存している門扉に対して容易に後付けできる防滴型の電気錠を安価に提供する。
【課題を解決するための手段】
【０００６】  前述の課題を解決するために、本発明による防滴型電気錠は門扉や框の表面へ設置するストライクとラッチおよびカバーからなる錠部と、開錠時のみ外部から電力の供給を受けて駆動力を発生する駆動力源および駆動力源を内部に収納することにより雨水等から保護する防滴性を有する箱からなる駆動部に分離しておき、錠部のラッチと駆動部の駆動力源を可とう性のある伝達ワイヤで連結する構成として、駆動部において駆動力源と伝達ワイヤを結ぶ継ぎ手を電気絶縁性を有する材料で成し、駆動部は自在な箇所へ設置できるようにした。
【発明の効果】
【０００７】  上記の課題を解決するための構成により、次のような効果が得られる。まず第一に錠部と駆動部を分離したことで、門扉或いは框へは錠部のみを取り付け、駆動部は自由に任意の箇所へ取り付ける施工が可能になること、第二に通電を受ける駆動部だけを防滴性のある箱に収容すればよく、雨水からの保護が容易となり電気絶縁性の確保が図れる上に駆動部の保守点検も容易になること、第三に埋設して取り付ける必要がないため取り付けられる門扉或いは框を選ばず、また門扉の開閉方法、すなわち引き戸或いは開き戸のどちらにでも適用が可能であるという効果が得られる。【０００８】  また、錠部と駆動部を分離した上で露出取り付けとした構成のため、埋設して用いられる従来の電気錠とは異なり容易に既設の門扉へ取り付けることができ、施工コストを抑える効果もある。
【発明を実施するための最良の形態】
【０００９】  以下、本発明の実施の形態を図１〜図３に基いて説明する。【００１０】  図１は本発明の防滴型電気錠の一つの実施の形態を表す説明図である。図１において１は錠部であり、２は駆動部で、３は伝達ワイヤである。錠部１と駆動部２は伝達ワイヤ３により連結されている。錠部１は框Ｋに固定され、門扉Ｔに取り付けられたストライク１１と相対している。また駆動部２は塀Ｈに設置されるものとして示されているが、設置の用を成し得るならば框Ｋや図にはない他の建築物であっても構わない。【００１１】  図２は施錠状態における錠部１を示している。錠部１はストライク１１と、既知構成のラッチ１０と、取り付け台座１２とカバー１３から構成される。ストライク１１は門扉Ｔへ取り付けられ、取り付け台座１２により框Ｋへ固定されるラッチ１０の突出部分を受け入れる開口を持つ。また、ラッチ１０には伝達ワイヤ３の一端が連結されていて、カバー１３によって保護されている。【００１２】  図３において駆動部２の詳細を示した。２０はソレノイドで、２３はプランジャで、２２は継ぎ手であり、２４は復帰バネであり、防滴箱２１の内部へ収容されて雨水や風雪、塵埃から保護される。【００１３】  ソレノイド２０のプランジャ２３は伝達ワイヤ３の他端と継ぎ手２２によって連結されている。図３の中では駆動力源としてソレノイドを用いたとして図示されているが、他の駆動力源、例えば電動リニアアクチュエータや直動モータなどの駆動力源を用いたとしてもよい。【００１４】  以下、上記構成について動作を説明する。門扉Ｔが閉まった状態においてストライク１１の開口へラッチ１０の先端が陥入して施錠状態となっている。開錠とするため、図示していない外部の電源から電力をソレノイド２０へ通電すると、プランジャ２３は吸引力を受けるためソレノイド２０内へ引き込まれて行き、継ぎ手２２とソレノイド２０にはさまれた復帰バネ２４を圧縮しつつ、継ぎ手２２を介して伝達ワイヤ３の一端を引く。このために伝達ワイヤ３の他端が連結されているラッチ１０は縮退して開錠される。また、通電が止まるとソレノイド２０によるプランジャ２３を引く力がなくなるために復帰バネ２４によって継ぎ手２２は押し戻され、かつプランジャー２３および伝達ワイヤ３は施錠状態の位置へ戻る。【００１５】  以上のように、本実施形態によれば屋外の既設の門扉に対して容易に後付けできる防滴型の電気錠を安価に提供することができる。
【図面の簡単な説明】
【００１６】
【図１】本発明の実施形態を示す電気錠の説明図
【図２】同電気錠の施錠状態における錠部を示す一部破断側面図
【図３】同電気錠の施錠状態における駆動部を示す一部破断側面図
【図４】従来の電気錠を示す断面図
【符号の説明】
【００１７】  １  錠部
２  駆動部
３  伝達ワイヤ
１０  ラッチ
１１  ストライク
１２  取り付け台座
１３  カバー
２０  ソレノイド
２１  防滴箱
２２  継ぎ手
２３  プランジャ
２４  復帰バネ
Ｔ  門扉
Ｋ  框
【図１】
2005248675.tif 000003
【図２】
2005248675.tif 000004
【図３】
2005248675.tif 000005
【図４】
2005248675.tif 000006